(57)【要約】      （修正有）【課題】災害時等に用いる飲料水を新鮮な状態で貯水タンクに貯留でき、貯水タンクを簡単に必要な場所に持ち出すことができ、貯水タンクの増設も簡単にできる住宅用貯水システムを提供する。【解決手段】住宅に引き込まれる水道配管における止水栓側の水道配管４と下流側の水道配管５との間に配置される住宅用貯水システム１は、連通管１７を介して直列に接続された貯水タンク６、７を有している。貯水タンク６、７を介して流れる水道水は、導水管１２によって底面１１ｂの側に流れ込み、上面１１ｃから排出され、貯留水が常に流入水と置換され、新鮮な状態に保持される。貯水タンク６、７は管継ぎ手１４、１８、２０、２１によって切り離して持ち出すことができる。同一構造の貯水タンク６、７を連通管１７によって必要数、繋ぐことで貯水量を簡単に増やすことができる。【選択図】図１
0003205751.tif 000002
【実用新案登録請求の範囲】
【請求項１】
少なくとも１台の貯水タンクを有しており、
前記貯水タンクは、
所定量の水道水を貯留可能なタンク本体と、
前記タンク本体の上端部に開口している給水口と、
前記給水口から前記タンク本体の内部を下方に延びて当該タンク本体の底部近傍位置に下端開口が位置する導水管と、
前記給水口に配置した逆止弁と、
前記タンク本体の前記上端部における前記給水口とは異なる位置に開口している出水口と
を備えており、
前記給水口は、住宅に引き込まれている水道配管経路の上流側の部位に着脱可能に接続されており、
前記出水口は、前記水道配管経路における下流側の部位に着脱可能に接続されていることを特徴とする住宅用貯水システム。
【請求項２】
請求項１において、
複数台の前記貯水タンクおよび１本あるいは複数本の連通管を有しており、
前記連通管の一方の口は、上流側の水道配管に接続されている一方の前記貯水タンクの前記出水口に着脱可能な状態で接続され、
前記連通管の他方の口は、下流側の水道配管に接続されている他方の前記貯水タンクの前記給水口に着脱可能に接続されている住宅用貯水システム。
【考案の詳細な説明】
【技術分野】
【０００１】
本考案は、災害時の断水等の際に緊急用飲料等として用いることができるように所定量の水道水を常時貯留する住宅用貯水システムに関する。
【背景技術】
【０００２】
住宅等においては、災害時の断水などにおいて緊急用飲料等として用いるために水道水をタンクに貯留している。特許文献１には、非常時の緊急用飲料水として常に新鮮な水道水を貯留可能な水自動貯留装置が提案されている。特許文献２には、複数のタンクを縦列に接続可能な非常用水タンクが提案されている。
【先行技術文献】
【特許文献】
【０００３】
【特許文献１】特開平８−１１９３８１号公報
【特許文献２】実用新案登録第３１１３００６号公報
【考案の概要】
【考案が解決しようとする課題】
【０００４】
従来における非常時の緊急用飲料水を貯留するタンクにおいては、タンク内に水が滞留して定期的に清掃して交換する必要があり不便である。特許文献１において提案されている水自動貯留装置では、常時、水道水を、タンクを経由して流すことによりタンク内の貯留水を新鮮な状態にしている。しかしながら、タンク内の水には淀みができ、タンク内のすべての部分において水を新鮮な状態に維持することができないおそれがある。
【０００５】
本考案の課題は、災害時等に用いる飲料水を新鮮な状態で貯水タンクに貯留でき、貯水タンクを簡単に持ち出すことができ、また、貯水タンクの増設も簡単にできる住宅用貯水システムを提供することにある。
【課題を解決するための手段】
【０００６】
上記の課題を解決するために、本考案による住宅用貯水システムは、
少なくとも１台の貯水タンクを有しており、
前記貯水タンクは、
所定量の水道水を貯留可能なタンク本体と、
前記タンク本体の上端部に開口している給水口と、
前記給水口から前記タンク本体の内部を下方に延びて当該タンク本体の底面の近傍位置に下端開口が開口している導水管と、
前記給水口に配置した逆止弁と、
前記タンク本体の前記上端部における前記給水口とは異なる位置に開口している出水口と
を備えており、
前記給水口は、住宅に引き込まれている水道配管経路の上流側部位に着脱可能に接続されており、
前記出水口は、前記水道配管経路における前記上流側部位よりも下流側の部位に着脱可能に接続されていることを特徴としている。
【０００７】
水道水は、給水口から逆止弁を介してタンク本体内に流れ込み、タンク本体内に貯留される。また、給水口からタンク本体内に流れ込む水道水は、導水管によってタンク本体内の底面の近傍位置まで導かれ、ここからタンク本体内に流れ込む。タンク本体内において
、その底面から上端の出水口に向かう上昇水流が発生する。したがって、タンク本体内の底部分に水が滞留することがなく、タンク本体内の水が常に新たに流入する水道水と置き換えられるので、新鮮な状態に保たれる。
【０００８】
また、給水口には逆止弁が配置されている。災害時等において止水栓側の水道配管が破裂等して断水状態になり、水圧が低下した場合であっても、タンク本体内から給水口を通って貯留水道水が逆流して排出されてしまうことを防止できる。
【０００９】
さらに、貯水タンクは、その給水口および出水口が水道配管から取り外し可能である。災害時等において緊急用飲料水として貯留水を用いる場合には、貯水タンクを水道配管から外して所定の場所に持ち出すことができるので、便利である。
【００１０】
ここで、貯水量を増やすためには、複数の貯水タンクを、水道配管に対して直列あるいは並列に接続すればよい。このために、本考案の住宅用貯水システムは、複数台の前記貯水タンクおよび１本あるいは複数本の連通管を有しており、前記連通管の一方の口は、止水栓側の水道配管に接続されている一方の前記貯水タンクの前記出水口に着脱可能な状態で接続され、前記連通管の他方の口は、下流側の水道配管に接続されている他方の前記貯水タンクの前記給水口に着脱可能に接続された構成とされる。
【００１１】
この場合においても、貯水タンクを水道配管および隣接する貯水タンクから切り離して所定の場所に持ち出すことができるので便利である。また、各貯水タンクでは、水道水が底側から流れ込み上端から排出されるので、貯留水を常に新しい状態に保持することができる。
【００１２】
さらに、連通管によって貯水タンクを直列に必要とされる個数だけ簡単に接続することができるので、貯留水の水量を増減する作業も簡単である。
【考案の効果】
【００１３】
本考案の住宅用貯水システムでは、貯水タンクを介して流れる水道水は、導水管によって底面の側に流れ込み上面から排出され、貯留水が常に新たな流入水と置換されるので、常に貯留水が新鮮な状態に保持される。また、貯水タンクは管継ぎ手によって切り離して持ち出すことが容易であり、便利である。さらに、同一構造の貯水タンクを連通管によって必要数、繋ぐことで貯水量を簡単に増やすことができる。
【図面の簡単な説明】
【００１４】
【図１】本考案を適用した住宅用貯水システムの実施の形態を示す説明図である。
【考案を実施するための形態】
【００１５】
以下に、図１を参照して、本考案を適用した住宅用貯水システムの実施の形態を説明する。住宅用貯水システム１は、住宅に引き込まれている水道配管に接続して使用される。通常は、水道配管における止水栓２および量水器３を経由して延びている水道配管４と、住宅の風呂、トイレ、台所の蛇口の側に繋がる下流側の水道配管５との間に接続して使用される。
【００１６】
本例の住宅用貯水システム１は、２台の貯水タンク６、７を備えている。貯水タンク６は、一定量の水道水を貯留可能な直方体形状のタンク本体１１を備えている。タンク本体１１の内部には、その一方の側面１１ａに沿って上下方向に垂直に延びる導水管１２が配置されている。
【００１７】
導水管１２の上端部は、タンク本体１１の上端近傍位置から側方にほぼ直角に折れ曲が
り、タンク本体１１の側面１１ａの上端部を貫通して外部に突出している。外部に突出している導水管１２の上端開口が給水口１３である。この給水口１３には逆止弁８が配置されている。また、給水口１３は、管継ぎ手１４によって、着脱可能な状態で、止水栓側の水道配管４に接続されている。タンク本体１１内において、導水管１２の下端開口は、タンク本体１１の底面１１ｂの近傍位置において下向きに開口している。
【００１８】
タンク本体１１における上面１１ｃには出水管１５が取り付けられ、その先端が出水口１６となっている。出水管１５は、タンク本体１１の上面１１ｃにおける、給水口側の側の側面１１ａとは反対側の側面１１ｄ側の角から、上方に垂直に延びている。その上端の出水口１６は上方に開口している。
【００１９】
この出水口１６には連通管１７の一方の連通口１７ａが、管継ぎ手１８を介して着脱可能な状態で接続されている。連通管１７の他方の連通口１７ｂは、管継ぎ手２０を介して着脱可能な状態で、下流側の貯水タンク７の側に接続されている。
【００２０】
下流側の貯水タンク７は、上流側の貯水タンク６と同一構造をしているので、図においては、対応する部位には同一の符号を付し、それらの説明を省略する。貯水タンク７の導水管１２の給水口１３は、管継ぎ手２０を介して着脱可能な状態で、連通管１７の連通口１７ｂに接続されている。貯水タンク７の出水口１６は、下流側の水道配管５に管継ぎ手２１を介して着脱可能な状態で接続されている。
【００２１】
通常の状態においては、水道水は、止水栓２、量水器３を経由して貯水タンク６に流れ込む。貯水タンク６が満水になると、貯水タンク６の底側に流れ込む水道水によって、貯水タンク６に貯留されている水道水が、上端側の出水口１６から上方に押し出されて連通管１７を介して下流側の貯水タンク７に流れ込み、この貯水タンク７に溜まる。貯水タンク７が満水になると、水道水は下流側の水道配管５に流れ込む。
【００２２】
各貯水タンク６、７では、流入する水道水によって、底面側から上面側に向かう貯留水の流れが形成される。したがって、常に新しく流れ込む水道水が貯留されるので、貯留水が新鮮な状態に保持される。非常時には、各管継ぎ手１４、１８、２０、２１の部分を切り離すと、各貯水タンク６、７を取り外して個別に持ち出して、貯留水を飲料水などとして用いることができる。
【００２３】
なお、貯水量を増やす場合には、貯水タンク６、７の間に、同一構造の貯水タンクを必要な個数、連通管１７を用いて直列に接続すればよい。このような貯水タンクの増設を簡単に行うことができる。
【符号の説明】
【００２４】
１    住宅用貯水システム
２    止水栓
３    量水器
４    水道配管
５    下流側の水道配管
６、７  貯水タンク
８    逆止弁
１１  タンク本体
１１ａ  側面
１１ｂ  底面
１１ｃ  上面
１１ｄ  側面
１２  導水管
１３  給水口
１４  管継ぎ手
１５  出水管
１６  出水口
１７  連通管
１７ａ、１７ｂ  連通口
１８、２０、２１  管継ぎ手
【図１】
0003205751.tif 000003